(57)【要約】【課題】音板の反対側に設けた開口部の開口面積または開口深さによって共鳴室の固有の共鳴周波数を調節可能にして、設計の自由度を高めることができる。【解決手段】音源ユニットＵＮＴの共鳴箱５０の各共鳴室ＲＭには、対応する音板３０に対向して開口する開口部６１が設けられる。また、中音域部５０Ｂにおいては、対応する音板３０の反対側に位置して開口する貫通穴９１が、対応する共鳴室ＲＭ２に連接して設けられ、共鳴室ＲＭ２−１と共鳴室ＲＭ２−２とでは、容積が同じであるが、共鳴室ＲＭ２−１に対応する貫通穴９１Ａ１よりも共鳴室ＲＭ２−２に対応する貫通穴９１Ａ２の方が、開口面積が大きいことで、共鳴室ＲＭ２−２の方が、共鳴周波数が高くなっている。【選択図】図５
2007225968.tif 000002
【特許請求の範囲】
【請求項１】
音板を備えた音板打楽器に配設される音板打楽器用の共鳴管であって、
前記音板が発音する楽音を共鳴させる共鳴室と、
前記共鳴室に連接して設けられ、当該共鳴管が前記音板打楽器に配設されたとき、前記音板に対向して開口する第１開口部と、
前記共鳴室に連接して設けられ、当該共鳴管が前記音板打楽器に配設されたとき、前記音板の反対側に位置して開口する第２開口部とを有することを特徴とする音板打楽器用の共鳴管。
【請求項２】
複数の音板を備えた音板打楽器に配設される音板打楽器用の共鳴箱であって、
前記各音板に対応して設けられ、対応する音板が発音する固有の音高の楽音を共鳴させる共鳴室と、
前記各共鳴室に連接して設けられ、当該共鳴箱が前記音板打楽器に配設されたとき、対応する音板に対向して開口する第１開口部と、
前記各共鳴室に連接して設けられ、当該共鳴箱が前記音板打楽器に配設されたとき、対応する音板の反対側に位置して開口する第２開口部とを有し、
前記各共鳴室は、その前記第２開口部の開口面積及び開口深さの少なくとも一方が、前記各共鳴室間で互いに異なっていることで、各々対応する音板が発音する固有の音高の楽音を共鳴させるように構成されたことを特徴とする音板打楽器用の共鳴箱。
【請求項３】
前記各共鳴室の形状及び容積は、複数の共鳴室間で共通であることを特徴とする請求項２記載の音板打楽器用の共鳴箱。
【発明の詳細な説明】
【技術分野】
【０００１】
本発明は、音板打楽器用の共鳴管及び共鳴箱に関する。
【背景技術】
【０００２】
従来、音板打楽器に配設されて利用される共鳴管及び共鳴箱が知られている。例えば、下記特許文献１の音板打楽器に適用される共鳴箱は、音域毎にタイプが異なり、低音側から順にヘルムホルツ型、閉管型、一括型が採用されている。いずれの共鳴室も、音板側に開口する開口部を有し、音板の反対側は完全に閉じられている。
【０００３】
このうち一括型は、複数の音板に共通の単一の共鳴室を有する。しかし、ヘルムホルツ型、閉管型は複数の各音高に対応する共鳴室を有し、それぞれ対応する音板が発音する音高（周波数）を効果的に共鳴させられるように、各共鳴室は固有の共鳴周波数を有するように構成されている。
【０００４】
そのために、閉管型においては、専ら、管長を互いに異ならせることで、共鳴室の容積を異ならせ、それによって、共鳴周波数を互いに異なる固有のものとなるように構成している。また、ヘルムホルツ型では、音板側に開口する開口部（ポート）の開口面積等によっても共鳴周波数を調整できるので、下記特許文献１の音板打楽器では、管長とポートの開口面積との組み合わせによって、各共鳴室の共鳴周波数を互いに異なる固有のものとなるように構成されている。
【特許文献１】実開平５−８１８９５号公報
【発明の開示】
【発明が解決しようとする課題】
【０００５】
しかしながら、特に閉管型においては、各共鳴室の共鳴周波数の調整は、共鳴室の容積の調整によってしか行えない。しかも、各共鳴室を音板の配列と対応させる必要から、音板の並び方向における共鳴室の幅に制約があり、結果として、管長を異ならせることのみで共鳴周波数を調整することになる。そのため、各共鳴室の特に高さ方向における寸法が決まってきてしまい、設計の自由度が低いという問題があった。
【０００６】
本発明は上記従来技術の問題を解決するためになされたものであり、その目的は、音板の反対側に設けた開口部によって共鳴室の固有の共鳴周波数を調節可能にして、共鳴管乃至共鳴箱の設計の自由度を高めることができる音板打楽器用の共鳴管及び共鳴箱を提供することにある。
【課題を解決するための手段】
【０００７】
上記目的を達成するために本発明の請求項１の音板打楽器用の共鳴管は、音板を備えた音板打楽器に配設される音板打楽器用の共鳴管（１００、２００）であって、前記音板が発音する楽音を共鳴させる共鳴室（ＲＭ５、ＲＭ６）と、前記共鳴室に連接して設けられ、当該共鳴管が前記音板打楽器に配設されたとき、前記音板に対向して開口する第１開口部（６１）と、前記共鳴室に連接して設けられ、当該共鳴管が前記音板打楽器に配設されたとき、前記音板の反対側に位置して開口する第２開口部（１０４、１０５、１０７）とを有することを特徴とする。
【０００８】
上記目的を達成するために本発明の請求項２の音板打楽器用の共鳴箱は、複数の音板を備えた音板打楽器に配設される音板打楽器用の共鳴箱（５０）であって、前記各音板に対応して設けられ、対応する音板が発音する固有の音高の楽音を共鳴させる共鳴室（ＲＭ２、ＲＭ４）と、前記各共鳴室に連接して設けられ、当該共鳴箱が前記音板打楽器に配設されたとき、対応する音板に対向して開口する第１開口部（６１）と、前記各共鳴室に連接して設けられ、当該共鳴箱が前記音板打楽器に配設されたとき、対応する音板の反対側に位置して開口する第２開口部（９１）とを有し、前記各共鳴室は、その前記第２開口部の開口面積及び開口深さの少なくとも一方が、前記各共鳴室間で互いに異なっていることで、各々対応する音板が発音する固有の音高の楽音を共鳴させるように構成されたことを特徴とする。
【０００９】
上記請求項２の構成において、好ましくは、前記各共鳴室の形状及び容積は、複数の共鳴室間で共通である（請求項３）。
【００１０】
なお、上記括弧内の符号は例示である。
【発明の効果】
【００１１】
本発明の請求項１によれば、音板の反対側に設けた開口部によって共鳴室の固有の共鳴周波数を調節可能にして、共鳴管の設計の自由度を高めることができる。
【００１２】
本発明の請求項２によれば、音板の反対側に設けた開口部の開口面積または開口深さによって共鳴室の固有の共鳴周波数を調節可能にして、共鳴箱の設計の自由度を高めることができる。
【００１３】
請求項３によれば、複数音高間で共鳴室を共通化して、共鳴室を構成する部品の種類を削減することができる。
【発明を実施するための最良の形態】
【００１４】
以下、本発明の実施の形態を図面を参照して説明する。
【００１５】
（第１の実施の形態）
図１は、本発明の第１の実施の形態に係る共鳴箱が適用される鍵盤楽器の上半部の内部構成を示す断面図である。概略を述べると、この鍵盤楽器１０は、鍵盤式音板打楽器として構成され、外観上は、アップライトピアノのようであるが、弦を備えない。その代わり、鍵盤楽器１０の上半部１０ａ内にチェレスタの音板と同様の音板を備え、該音板を打撃、振動させて発音させるものであり、音板が発音した音を共鳴させる共鳴箱も備える。また、音板を打撃するための機構として、アップライトピアノではなくグランドピアノ用のアクション機構と同様の機構を備える。以降、鍵盤楽器１０の奏者側を前方と称し、左右方向は奏者を基準として呼称する。
【００１６】
図１に示すように、上半部１０ａの下部の棚板１４の上には筬１５が配置され、筬１５の前部に筬前１６が設けられる。筬１５には、支持部材１９が設けられ、支持部材１９に設けられたバランスピン６２、６３を支点として、鍵盤ＫＢの複数の白鍵２７及び黒鍵２８が上下方向に揺動（シーソー運動）自在に支持される。筬前１６の前部を口棒部１７が全鍵幅に亘って覆っている。
【００１７】
また、筬１５の後半部上部には、アクションブラケット２２を介してアクション機構２０が配設される。アクションブラケット２２及びアクション機構２０は、各鍵２７、２８に対応して配列され、アクション機構２０は、グランドピアノのアクション機構と同様の構成を有する。さらに、これらアクション機構２０の上方には、木製の共鳴箱５０及び複数の音板３０（音板群３０Ｇ）を備えてなる音源ユニットＵＮＴが配設される。音板３０は、各鍵２７、２８に対応して設けられる。対応する鍵２７、２８の押鍵操作によってハンマ体２３が上方に回動し、対応する音板３０をハンマフェルト２４が打撃することで、その音板３０が振動して発音し、その音が共鳴箱５０で共鳴する。アクション機構２０の下方において、棚板１４には、放音用穴１４ａが設けられている。
【００１８】
鍵盤楽器１０の下部にはダンパペダル１２が設けられている。また、各鍵２７、２８の後端上方には、回動部材６４が各鍵２７、２８に対応して設けられ、各回動部材６４には、ダンパワイヤ２５を介してダンパフェルト２６が設けられている。ダンパペダル１２には、ペダル連結棒１３が連結されている。ダンパペダル１２を踏むと、ペダル連結棒１３、全ダンパワイヤ２５を介して全ダンパフェルト２６が持ち上がる。ダンパペダル１２が踏まれていない状態では、ダンパフェルト２６は、対応する音板３０の後端部上面に当接している。押鍵されると、対応するダンパワイヤ２５を介してダンパフェルト２６が音板３０から離間する。
【００１９】
図２は、音源ユニットＵＮＴの正面図、図３は、音源ユニットＵＮＴの平面図である。図２に示すように、鍵盤楽器１０の左右両側部を構成する側板１８Ｌ、１８Ｒの内側には、支持部２９Ｌ、２９Ｒが固定されている。音源ユニットＵＮＴの共鳴箱５０の左右両端部が支持部２９Ｌ、２９Ｒの上に不図示のネジで螺合固定されることで、音源ユニットＵＮＴが上半部１０ａ内に収容されている。
【００２０】
共鳴箱５０は、図３に示すように、それぞれ鍵並び方向のほぼ全長に亘る木製の前側共通壁５１、後側共通壁５２を有する。前側共通壁５１と後側共通壁５２との間隔は、低音域側にいくにつれて開いており、左方からみて「ハ」の字を呈している。
【００２１】
音板群３０Ｇは、鍵数分の音板３０からなる。音板３０は、各々その長手方向を前後方向として、左右方向に並列的に配設されている。音板３０は、いずれも断面矩形であるが、その全長等の形状が個々に異なっており、対応するハンマフェルト２４によって打撃されて振動して、各々固有の音高で発音するようになっている。音板３０は、隣接する固有の音高を有するもの同士が隣接して位置する。
【００２２】
各音板３０の長手方向両端部には、連結ひも４４（図２参照）を通すための不図示の支持穴が形成されており、共鳴箱５０の前側共通壁５１、後側共通壁５２の各下面には、連結ひも４４に係止されるための係止部を有する多数の留め具４０が取り付けられる。各音板３０は、共鳴箱５０に対して、連結ひも４４と多数の留め具４０とを介して、振動可能に吊り下げ状態で取り付けられている。
【００２３】
音源ユニットＵＮＴの共鳴箱５０は、低音側から順に、互いにタイプが異なる低音域部５０Ａ、中音域部５０Ｂ、高音域部５０Ｃで構成される（図２参照）。低音域部５０Ａは、ヘルムホルツ型であり、各音板３０に対応して音板３０と同数の共鳴室ＲＭ１を有する。中音域部５０Ｂは、半閉管型（半閉管型の意義は図５で後述する）であり、各音板３０に対応して音板３０と同数の共鳴室ＲＭ２を有する。また、高音域部５０Ｃは、一括式共鳴箱であり、複数の音板３０に共通の１つの共鳴室ＲＭ３を有する。
【００２４】
図３に示すように、共鳴箱５０において、前側共通壁５１と後側共通壁５２との間は、長さの異なる複数の仕切板５３で接続されている。仕切板５３は、前後方向及び上下方向に沿って互いに平行な平板であり、図２に示すように、各共鳴室ＲＭの下側の開口部６１から上端部に亘って設けられる。仕切板５３は、その前部、後部がそれぞれ前側共通壁５１、後側共通壁５２に接着等で固定されている。
【００２５】
図３に示すように、低音域部５０Ａ、中音域部５０Ｂにおいては、鍵並び方向において、隣接する仕切板５３間に音板３０の２つが対応するようになっている。しかも、隣接する仕切板５３間が斜め板５４、５５で接続され、隣接する仕切板５３間において、斜め板５４によって２つの共鳴室ＲＭ１が、斜め板５５によって２つの共鳴室ＲＭ２が、それぞれ形成される。
【００２６】
図２に示すように、低音域部５０Ａにおける仕切板５３の上端及び前側共通壁５１、後側共通壁５２の内側の段差部上端には、低音域部５０Ａに共通の１つの蓋部材５６が固着されて、すべての共鳴室ＲＭ１の上部が一括して閉塞されている。また、高音域部５０Ｃにおける前側共通壁５１、後側共通壁５２の内側の段差部上端には、高音域部５０Ｃに共通の１つの蓋部材５８が固着されて、共鳴室ＲＭ３の上部が閉塞されている。
【００２７】
中音域部５０Ｂは、仕切板５３乃至共鳴室ＲＭ２の高さの違いによって、５つのブロックに分類される。中音域部５０Ｂにおいては、仕切板５３の上端及び前側共通壁５１、後側共通壁５２の内側の段差部上端に、各ブロック毎に１つずつの蓋部材５７がそれぞれ固着されて、各共鳴室ＲＭ２の上部が略閉塞されている。ただし、蓋部材５７には、各共鳴室ＲＭ２に応じた直径を有する貫通穴９１が、各共鳴室ＲＭ２に対応して各共鳴室ＲＭ２に連接して設けられており、その意味において、閉塞されていない。そのため、上記したように、中音域部５０Ｂは、閉管型ではなく「半閉管型」と呼称している。
【００２８】
さらに、斜め板５４、５５は、いずれも、上下方向に沿った平板であり、各斜め板５４同士は互いに平行、斜め板５５同士も互いに平行である。斜め板５４、５５の構成及び機能は基本的に同じなので、中音域部５０Ｂの斜め板５５及び共鳴室ＲＭ２の構成について主に説明する。
【００２９】
図４は、音源ユニットＵＮＴの中音域部５０Ｂの部分水平断面図である。ここでは、２つの共鳴室ＲＭ２を代表して説明するので、該共鳴室ＲＭ２及びそれに対応している仕切板５３、音板３０については、それぞれカッコ「（１）、（２）」を付して区別する。２つの仕切板５３（１）、５３（２）間を接続する斜め板５５は、仕切板５３（１）の前後方向中央より後部と、仕切板５３（２）の前後方向中央より前部とに接着等で固定されている。
【００３０】
一方、音源ユニットＵＮＴにおいて、ハンマフェルト２４（図１参照）の前後及び左右方向の中心位置は、対応する音板３０の長手方向中央部が振動における腹に相当する腹中心３１Ｐに一致している。また、すべての音板３０の腹中心３１Ｐは、前後方向の位置が同じである。
【００３１】
図４に示すように、仕切板５３（１）、５３（２）間に音板３０（１）、３０（２）が配置されている。仕切板５３（１）、５３（２）間の空間のうち、斜め板５５より前方部分が共鳴室ＲＭ２（１）、後方部分が共鳴室ＲＭ２（２）である。そして、平面視において、音板３０（１）の腹中心３１Ｐは共鳴室ＲＭ２（１）に含まれ、音板３０（１）の高音側に隣接する音板３０（２）の腹中心３１Ｐは共鳴室ＲＭ２（２）に含まれている。従って、音板３０（１）、３０（２）の音は、それぞれ１対１に対応している共鳴室ＲＭ２（１）、ＲＭ２（２）で共鳴する。このように、平面視において、すべての音板３０の腹中心３１Ｐが、対応する共鳴室ＲＭ内に位置している。
【００３２】
低音域部５０Ａにおいては、中音域部５０Ｂに比し音板３０の幅が異なることに起因して、斜め板５４の角度、長さが斜め板５５とは異なっているが（図３参照）、基本的構成は同様である。また、図２、図３に示すように、低音域部５０Ａにおいては、各共鳴室ＲＭ１の下部に、ポート形成部材６０が設けられている。各共鳴室ＲＭ１（左端部のものを除く）の開口部６１には、２つの仕切板５３と斜め板５４とポート形成部材６０とによってポートが形成される。一般に、ヘルムホルツ型の共鳴箱においては、共鳴室の容積だけでなく、ポートの長さ及び断面積が、共鳴する音高に影響する。例えば、同じ容積の共鳴室であっても、ポートの長さを長くするかあるいは断面積を狭くすると、共鳴する音高（共鳴周波数）が低くなる。本実施の形態においても、ポート形成部材６０の形状を適切に設定することで、各共鳴室ＲＭ１に対応するポートの長さ及び断面積を調節して、対応する音板３０の音高の音が良好に共鳴するように構成している。
【００３３】
一方、中音域部５０Ｂにおいては、次に説明するように、各共鳴室ＲＭ２の容積だけでなく、音板３０の反対側に位置する貫通穴９１の開口面積を個々に設定することで、各共鳴室ＲＭ２が固有の共鳴周波数を有するように構成されている。
【００３４】
図５（ａ）は、音源ユニットＵＮＴの中音域部５０Ｂの部分平面図である。図５（ｂ）は、図５（ａ）のＡ−Ａ線に沿う断面図である。中音域部５０Ｂの５つのブロック（図２参照）のうち、高音側から２番目のブロック５０Ｂａが、図５（ａ）に示されている。図３、図５（ａ）、（ｂ）において、説明のため、複数の貫通穴９１のうち、ブロック５０Ｂａのもののみ、連番の９１Ａ１〜９１Ａ６の符号を付して個々を区別している。また、蓋部材５７のうち、ブロック５０Ｂａのものを特に区別するときは、「蓋部材５７Ａ」と記す。
【００３５】
図５（ａ）に示すように、貫通穴９１Ａ１〜９１Ａ６は、蓋部材５７Ａにおいて、ブロック５０Ｂａの６個の共鳴室ＲＭ２（ＲＭ２−１〜ＲＭ２−６）の各上部に相当する位置に穿設されている。図５（ｂ）に示すように、蓋部材５７Ａは厚みが全体に亘って一様であって、各貫通穴９１Ａ１〜９１Ａ６の深さ（上下方向の長さ）は共通である。
【００３６】
ここで、本出願人は、半閉管型である中音域部５０Ｂにおいては、各共鳴室ＲＭ２の共鳴周波数、すなわち、共鳴させることができる音高に関与するパラメータとして、上記した容積だけでなく、貫通穴９１の穴径（開口面積）、及び貫通穴９１の深さが存在することを究明した。具体的には、より高い周波数を共鳴させることができるようにするためには、音板３０の反対側の開口部である貫通穴９１の開口面積を大きく、貫通穴９１の深さを浅く設定すればよいことを突き止めた。ちなみに、共鳴室ＲＭ２の容積は、小さくすることで共鳴周波数を高くすることができる。
【００３７】
本実施の形態では、貫通穴９１の深さは共通としたので、各共鳴室ＲＭ２の容積と貫通穴９１の穴径の組み合わせによって、対応する音板３０の固有音高に合致した適切な共鳴周波数を有するように構成した。
【００３８】
例えば、図５（ａ）に示すように、共鳴室ＲＭ２−１と共鳴室ＲＭ２−２とは、容積が同じである。また、共鳴室ＲＭ２−１に対応する貫通穴９１Ａ１よりも共鳴室ＲＭ２−２に対応する貫通穴９１Ａ２の方が、開口面積が大きい。これにより、同じ容積でありながら、共鳴室ＲＭ２−１よりも共鳴室ＲＭ２−２の方が、共鳴周波数が高くなっている。共鳴室ＲＭ２−３と共鳴室ＲＭ２−４、共鳴室ＲＭ２−５と共鳴室ＲＭ２−６の関係もこれと同様である。
【００３９】
音源ユニットＵＮＴを製作するには、まず、仕切板５３を前側共通壁５１、後側共通壁５２に接着等で固定し、隣接する仕切板５３間に斜め板５４、５５を接着等で固定する。一方、蓋部材５７には、適切な貫通穴９１を事前に穿設しておき、蓋部材５６〜５８を上から被せて、仕切板５３、前側共通壁５１、後側共通壁５２等に接着等で固定する。なお、蓋部材５７については、接着固定した後に、適切な貫通穴９１を穿設するようにしてもよい。
【００４０】
図６は、音源ユニットＵＮＴの中音域部５０Ｂの部分平面図である。蓋部材５７は、例えば、木製であり、貫通穴９１は、ドリル等の穿設工具で開けられる。その際、共鳴周波数が狙いのものからずれていた場合には、次のようにして微調節を行う。
【００４１】
例えば、同図に示すように、共鳴室ＲＭ２−３の共鳴周波数が狙いよりも低かった場合は、貫通穴９１Ａ３の上部に、面取り９３を設ける。これにより、貫通穴９１Ａ３の実質的な深さが浅くなるので、共鳴室ＲＭ２−３の共鳴周波数が高くなる。また、共鳴室ＲＭ２−４の共鳴周波数が狙いよりも高かった場合は、貫通穴９１Ａ４の一部を覆うように、板片９２を蓋部材５７Ａに固着する。これにより、貫通穴９１Ａ４の実質的な開口面積が小さくなるので、共鳴室ＲＭ２−４の共鳴周波数が低くなる。
【００４２】
このようにして、貫通穴９１に対する面取り９３の追加工、あるいは板片９２の配設によって、共鳴周波数の微調節を、各共鳴室ＲＭ２について個別に簡単に行うことができ、より適切な共鳴周波数の容易な設定を可能にすることができる。
【００４３】
本実施の形態によれば、音源ユニットＵＮＴの中音域部５０Ｂにおいて、対応する音板３０の反対側に位置して開口する貫通穴９１が、対応する共鳴室ＲＭ２に連接して設けられ、各貫通穴９１の開口面積を適切に設定することによって、対応する音板３０が発音する固有の音高の楽音が共鳴するように構成された。これにより、貫通穴９１の開口面積の設定によって、各共鳴室ＲＭ２の固有の共鳴周波数を調節可能にして、共鳴箱５０の設計の自由度を高めることができる。
【００４４】
なお、各共鳴室ＲＭが、音板３０の並びに対応して並列的に配設された構成であっても、本発明を適用可能である。
【００４５】
（第２の実施の形態）
上記第１の実施の形態では、共鳴箱５０の前側共通壁５１及び後側共通壁５２は「ハ」の字を呈しており（図３等参照）、左右方向に隣接する共鳴室ＲＭの容積は異なっていた。これに対し、本発明の第２の実施の形態では、左右方向に配列される複数の共鳴室ＲＭの形状及び容積を共通とする。
【００４６】
図７（ａ）は、第２の実施の形態に係る共鳴箱における中音域部の部分平面図である。図７（ｂ）は、同中音域部の部分正面図である。
【００４７】
この共鳴箱においては、前側共通壁５１及び後側共通壁５２に相当する前側共通壁１５１及び後側共通壁１５２は、互いに平行である。なお、前側共通壁１５１及び後側共通壁１５２は、共鳴箱の全体に亘って平行でなくてもよく、例えば、中音域部の共鳴室ＲＭの高さを同じくするブロック毎に設けてもよい。蓋部材５７に相当する１つの蓋部材９４は、平面視形状が異なるだけで、貫通穴９１の構成は第１の実施の形態のものと同様である。
【００４８】
１つのブロックに、前側共通壁１５１及び後側共通壁１５２と、仕切板５３、斜め板５５に相当する仕切板９６、斜め板９５と、蓋部材９４とで画成される６個の空間が、共鳴室ＲＭ２に相当する共鳴室ＲＭ４（ＲＭ４−１〜ＲＭ４−６）である。
【００４９】
これら６個の共鳴室ＲＭ４は、図７（ａ）、（ｂ）に示すように、高さが共通で、前後及び左右方向の幅も共通であるので、形状及び容積が同一である。しかし、貫通穴９１については、各共鳴室ＲＭ４同士で異なっている。また、蓋部材９４の厚みは一様であるので、各貫通穴９１の深さは同一である。
【００５０】
従って、貫通穴９１の直径が大きい共鳴室ＲＭ４ほど共鳴周波数が高く、同ブロック内では、共鳴室ＲＭ４−６の共鳴周波数が最も高い。このようにして、各共鳴室ＲＭ４の形状及び容積を共通としつつも、貫通穴９１の開口面積を異ならせることで、それぞれ対応する音板３０が発音する音高を良好に共鳴させるように構成することができる。
【００５１】
図７（ｃ）は、第２の実施の形態の共鳴箱の変形例における中音域部の部分平面図である。図７（ｄ）は、同中音域部の部分正面図である。
【００５２】
この変形例では、図７（ａ）、（ｂ）の構成に対して、蓋部材の構成が異なる。図７（ａ）、（ｂ）で示した中音域部のブロックよりも高音側のブロックを示しており、その音域に応じて、斜め板９７の形状及び配設角度が斜め板９５に比し異なっているが、基本的構成は同様である。この変形例における蓋部材９９は、高音側にいくにつれて前後方向の幅が狭くなっている。
【００５３】
平面視において、仕切板９６と、蓋部材９９と、前側共通壁１５１または後側共通壁１５２との間に開口部９８が形成される。これら、各共鳴室ＲＭ４の開口部９８は、高音側のものほど大きくなっている。また、図面では明確に表現されていないが、共鳴室ＲＭ４−１、３、５の各開口部９８よりも共鳴室ＲＭ４−２、４、６の各開口部９８の方が若干広くなっている。
【００５４】
このようにして、貫通穴９１に代えて、蓋部材９９の形状を工夫して各共鳴室ＲＭ４の開口面積を異ならせることで、各共鳴室ＲＭ４の形状及び容積を共通としつつも、それぞれ対応する音板３０が発音する音高を共鳴させるように構成することができる。
【００５５】
本実施の形態によれば、第１の実施の形態と同様の効果を奏することができる。しかも、同ブロックにおいて、各共鳴室ＲＭ４の形状及び容積を共通としたので、共鳴室ＲＭ４を構成する部品（仕切板９６、斜め板９５、あるいは斜め板９７）の種類を削減することができる。特に、図７（ｃ）、（ｄ）に示す構成では、貫通穴を穿設する工程を省略できるので、製造が容易となる。
【００５６】
（第３の実施の形態）
本発明の第３の実施の形態では、共鳴室を有する共鳴管を個別に構成する。各共鳴管は、固有の共鳴周波数を有するように構成され、鍵盤楽器１０において、複数の共鳴管を共鳴箱５０の代わりに配設することができる。
【００５７】
図８（ａ）、（ｃ）、（ｅ）、（ｇ）は、本発明の第３の実施の形態に係る共鳴管１００（１００Ａ〜１００Ｄ）の平面図、同図（ｂ）、（ｄ）、（ｆ）、（ｈ）は、それらの正面図である。これら４つの共鳴管１００は、貫通穴１０４（１０４Ｂ〜１０４Ｄ）の有無及びその直径が相違するのみで、その他の構成は同一であるので、図８（ｃ）、（ｄ）の構成を代表して説明する。
【００５８】
図８（ｃ）、（ｄ）に示す共鳴管１００Ｂは、互いに対向する２つの前後壁１０２、１０２と互いに対向する２つの左右壁１０１、１０１と、前後壁１０２の上端に固着された蓋部材１０３Ｂとを有し、これらによって、共鳴室ＲＭ５が画成される。共鳴管１００が鍵盤楽器１０に適切に配設されたとき、共鳴室ＲＭ５の下側に開口する開口部６１が、対応する音板３０に近接対向する。共鳴管１００Ｂにおいて、前後壁１０２は、前側共通壁５１、後側共通壁５２の一部に相当し、蓋部材１０３Ｂは蓋部材５７に相当する。１つの共鳴管１００が１つの音板３０に対応する。
【００５９】
蓋部材１０３Ｂには、貫通穴９１（図５、図７（ａ）参照）に相当する貫通穴１０４Ｂが設けられる。図８に示す４種類の共鳴管１００において、共鳴室ＲＭ５の形状及び容積は同一、蓋部材１０３（１０３Ａ〜１０３Ｄ）の厚みも同一である。貫通穴１０４の直径だけは、図８（ａ）、（ｂ）のものではゼロ（実質的に閉管となる）で、図８（ｇ）、（ｈ）のものが最も大きい。これら４種類の共鳴管１００のうち、貫通穴１０４の直径が大きいものほど、高い共鳴周波数を有し、図８（ｇ）、（ｈ）に示す共鳴管１００Ｄが、最も共鳴周波数が高い。
【００６０】
本実施の形態によれば、貫通穴１０４の開口面積を各共鳴管１００毎に異ならせることで、各共鳴室ＲＭ５の形状及び容積を共通としつつも、それぞれ対応する音板３０が発音する音高を共鳴させるように構成することができ、共鳴管の設計の自由度を高めることができる。
【００６１】
なお、共鳴管１００の種類は４つ例示したが、貫通穴１０４の開口面積を異ならせて、４以上の多種類製造することが可能である。また、共鳴周波数の異なる共鳴管１００を鍵数分製造し、鍵盤楽器１０に組み付ける際には、複数の共鳴管１００をひとまとめにして共鳴箱として構成してから組み付けてもよい。
【００６２】
（第４の実施の形態）
上記第３の実施の形態では、貫通穴１０４の開口面積のみを異ならせることで、所望の共鳴周波数の設定を実現したが、本発明の第４の実施の形態では、貫通穴の深さのみを異ならせることでそれを実現する。
【００６３】
図９（ａ）〜（ｄ）は、本発明の第４の実施の形態に係る共鳴管の正面図である。これらの共鳴管２００（２００Ａ〜２００Ｄ）の基本的構成は、第３の実施の形態のもの（図８参照）と同様であり、蓋部材１０６（１０６Ａ〜１０６Ｄ）の下に共鳴室ＲＭ５（ＲＭ５Ａ〜ＲＭ５Ｄ）が形成される。各蓋部材１０６には、同じ直径の貫通穴１０５（１０５Ａ〜１０５Ｄ）が形成されている。ただし、各蓋部材１０６の厚みは互いに異なっており、それに応じて、貫通穴１０５の深さが互いに異なっている。共鳴室ＲＭ５Ａ〜ＲＭ５Ｄの形状及び容積は同一である。これら４種類の共鳴管２００のうち、貫通穴１０５の深さが浅いもの（蓋部材１０６の厚みが薄いもの）ほど、高い共鳴周波数を有し、図９（ｄ）に示す共鳴管２００Ｄが、最も共鳴周波数が高い。
【００６４】
本実施の形態によれば、貫通穴１０５の深さを各共鳴管２００毎に異ならせることで、各共鳴室ＲＭ５の形状及び容積を共通としつつも、それぞれ対応する音板３０が発音する音高を共鳴させるように構成することができ、共鳴管の設計の自由度を高めることに関し、第３の実施の形態と同様の効果を奏することができる。
【００６５】
ところで、上述したように、共鳴周波数の調節は、音板３０の反対側の開口部の開口面積、深さだけでなく、共鳴室の容積の設定によっても可能である。例えば、図１０（ａ）〜（ｄ）に例示するように、貫通穴１０７の開口面積及び蓋部材１０８の厚み（貫通穴１０７の深さ）が共通であっても、共鳴室ＲＭ６（ＲＭ６Ａ〜ＲＭ６Ｄ）の高さを異ならせて容積を互いに異ならせることで、容積の小さいものほど高い共鳴周波数を有するようにすることができる。図１０（ｄ）に示す共鳴管が最も共鳴周波数が高い。
【００６６】
従って、各共鳴管を個別に製作する際には、これら、共鳴周波数に関与するパラメータを適切に組み合わせて、互いに異なる共鳴周波数となるように構成してもよい。その際、例えば、複数の共鳴管間で、共鳴室ＲＭの形状、容積を共通とすれば、共鳴室ＲＭを構成する部品の構成を共通化することができる。また、貫通穴の直径を共通化すれば、穿設工具を共通化でき、穿設工程の簡略化に繋がる。一方、貫通穴の深さを共通化すれば、貫通穴を設ける前段階における蓋部材を共通化したり、複数の共鳴室間で、厚みが一様の１つの蓋部材を適用（第１の実施の形態参照）したりすることも容易である。このようにして、構成や製造工程を簡単にすることが可能となる。
【００６７】
なお、これら、共鳴周波数に関与するパラメータの組み合わせで共鳴管を製造する手法は、第１の実施の形態で示したような、複数共鳴室を有する共鳴箱５０として構成する場合においても、応用が可能である。それにより、各共鳴室の構成及びそれに対応する貫通穴乃至蓋部材について、複数間で共通化することも可能である。
【００６８】
また、同じ共鳴周波数を有する共鳴管、乃至共鳴箱の共鳴室を、パラメータの組み合わせを異ならせて多種類設計することも可能である。従って、共鳴管乃至共鳴室の高さ等のサイズを、鍵盤楽器の機種に合わせて設計することが容易となり、鍵盤楽器の設計の自由度も高くなる。
【００６９】
なお、第１の実施の形態における共鳴箱、及び第２〜第４の実施の形態における共鳴管は、グロッケンシュピールにも適用可能であり、また、鍵盤楽器以外の音板打楽器にも適用可能である。
【００７０】
なお、上記各実施の形態において、共鳴箱、あるいは共鳴管は、木製に限られない。蓋部材も同様である。例えば、第１の実施の形態における蓋部材５７等を樹脂で形成する場合は、金型成形の段階で貫通穴９１（図３、図５参照）等を設けてもよい。
【００７１】
なお、共鳴箱あるいは共鳴管における貫通穴は、円形でなくてもよく、音板３０の反対側において開口していれば、形状は問わない。
【図面の簡単な説明】
【００７２】
【図１】本発明の第１の実施の形態に係る共鳴箱が適用される鍵盤楽器の上半部の内部構成を示す断面図である。
【図２】音源ユニットの正面図である。
【図３】音源ユニットの平面図である。
【図４】音源ユニットの中音域部の部分水平断面図である。
【図５】音源ユニットの中音域部の部分平面図（図（ａ））、同図（ａ）のＡ−Ａ線に沿う断面図（図（ｂ））である。
【図６】音源ユニットの中音域部の部分平面図である。
【図７】本発明の第２の実施の形態に係る共鳴箱における中音域部の部分平面図（図（ａ））、部分正面図（図（ｂ））、同形態の共鳴箱の変形例における中音域部の部分平面図（図（ｃ））、部分正面図（図（ｄ））である。
【図８】本発明の第３の実施の形態に係る共鳴管の平面図（図（ａ）、（ｃ）、（ｅ）、（ｇ））、及びそれらの正面図（図（ｂ）、（ｄ）、（ｆ）、（ｈ））である。
【図９】本発明の第４の実施の形態に係る共鳴管の正面図（図（ａ）〜（ｄ））である。
【図１０】共鳴室の容積を異ならせた共鳴管の正面図（図（ａ）〜（ｄ））である。
【符号の説明】
【００７３】
１０  鍵盤楽器（音板打楽器）、  ３０  音板、  ５０  共鳴箱、  ６１  開口部（第１開口部）、  １００、２００  共鳴管、  ９１、１０４、１０５、１０７  貫通穴（第２開口部）、  ＲＭ  共鳴室
【図１】
2007225968.tif 000003
【図２】
2007225968.tif 000004
【図３】
2007225968.tif 000005
【図４】
2007225968.tif 000006
【図５】
2007225968.tif 000007
【図６】
2007225968.tif 000008
【図７】
2007225968.tif 000009
【図８】
2007225968.tif 000010
【図９】
2007225968.tif 000011
【図１０】
2007225968.tif 000012